(57)【要約】【課題】防火性能を向上でき、かつ、縦枠の損傷も軽減できる建具を提供すること。【解決手段】引違い窓の各障子の召合せ框は煙返しを有する。縦枠１３は、戸先框４３に対向する対向面部１３１と引寄せ片１３２を備える。戸先框４３は、見込み面部４３５、屋外片部４３６、屋内片部４３７で区画された凹溝部４３８を備える。凹溝部４３８には、ガイド部材４３３が取り付けられる。ガイド部材４３３は、建具枠、戸先框、召合せ框および上下框よりも融点が低い合成樹脂材で構成する。戸先框４３の見込み面部４３５と縦枠１３の引寄せ片１３２との見付け方向の間隔寸法をＡ、戸先框４３の見付け方向の先端と縦枠１３の対向面部１３１との見付け方向の間隔寸法をＢ、煙返し同士のかかり代の寸法をＣとする。ガイド部材４３３が融解する温度に加熱された際の前記上下框の熱伸び量をΔＬとした場合に、Ｂ＞Ａ＞ΔＬ−Ｃ／２に設定する。【選択図】図３
2013189757.tif 000002
【特許請求の範囲】
【請求項１】
建具枠と、
前記建具枠にスライド開閉自在に支持される障子とを備える建具であって、
前記障子は、戸先框、召合せ框および上下框を備え、
前記障子を全閉状態にした際に、前記障子の見込み方向に重なる各召合せ框には、互いに係合する煙返しがそれぞれ形成され、
前記建具枠において戸先框に対向する枠材は、前記戸先框に対向する対向面部と、この対向面部から戸先框側に突設された引寄せ片とを備え、
前記戸先框は、前記引寄せ片に対向する見込み面部と、前記見込み面部の屋外側から前記対向面部に向かって延長された屋外片部と、前記見込み面部の屋内側から前記対向面部に向かって延長された屋内片部とを備え、
前記見込み面部、屋外片部、屋内片部で囲まれる凹溝部には、前記障子を全閉状態にした際に前記引寄せ片に当接するガイド部材が取り付けられ、
前記ガイド部材は、前記建具枠、戸先框、召合せ框および上下框よりも融点が低い材質で構成され、
前記戸先框の見込み面部と前記枠材の引寄せ片との見付け方向の間隔寸法をＡとし、
前記戸先框の見付け方向の先端と前記枠材の対向面部との見付け方向の間隔寸法をＢとし、
前記煙返し同士のかかり代の寸法をＣとし、
前記ガイド部材が融解する温度に加熱された際の前記上下框の熱伸び量をΔＬとした場合に、Ｂ＞Ａ＞ΔＬ−Ｃ／２である建具。
【請求項２】
前記ガイド部材は、前記引寄せ片に当接して戸先框を見込み方向の所定位置に案内する傾斜面が形成されている請求項１に記載の建具。
【請求項３】
前記建具枠と、戸先框、召合せ框、上下框は、金属製部材で構成され、
前記ガイド部材は、合成樹脂製の部材で構成されている請求項１または請求項２に記載の建具。
【発明の詳細な説明】
【技術分野】
【０００１】
本発明は、建具枠にスライド開閉自在に支持される障子を備える建具に関し、特に耐火性能を向上させた建具に関する。
【背景技術】
【０００２】
近年、火災時の延焼などを防ぐために、防火性能を高めた引違い窓が要望されている。引違い窓における防火対策としては、主に窓枠や障子の枠材、框材が合成樹脂製のサッシにおいて、火災時に各枠材や框材が軟化や焼失してガラス等が脱落することを防止する対策が中心であった（特許文献１参照）。
【０００３】
一方、アルミニウム合金やスチール製の金属製部材を、窓枠の枠材や障子の框材の主構成部材として用いたサッシでは、金属製部材でガラス等を保持できる。このため、部材の肉厚や、見付け寸法、見込み寸法などを防火戸として機能できる寸法に設定し、また、枠と障子や、障子の召合せ部における煙返しに所定寸法のかかり代を設定することで、防火戸として用いている。
【先行技術文献】
【特許文献】
【０００４】
【特許文献１】特許第４２２９２８６号公報
【発明の概要】
【発明が解決しようとする課題】
【０００５】
金属製部材を用いたサッシでは、基本的な防火性能を確保できるが、防火性能のさらなる向上は以下の点で困難であった。
すなわち、一般的なサッシでは、図５に示すように、縦枠１３の戸先框４３に対向する対向面部１３１に、引寄せ片１３２を形成している。そして、この引寄せ片１３２と、この引寄せ片１３２に引寄せ用のガイド部材（引寄せ部材）４３３を介して対向する戸先框４３までの見付け方向の寸法をＡ、戸先框４３の見付け方向先端と対向面部１３１との見付け方向の寸法をＢとしたとき、多くはＢ＜Ａに設定されている。
【０００６】
このような従来のサッシでは、火災時に合成樹脂製のガイド部材４３３が焼失し、障子の上框や下框が熱伸びして戸先框４３が縦枠１３側に移動すると、図６に示すように、戸先框４３の先端が対向面部１３１に当接することになる。
この場合、引寄せ片１３２と戸先框４３との間に隙間が生じ、さらに、戸先框４３の上下端部は、窓枠の上枠や下枠との間に隙間があるため、火炎がこれらの隙間を通って非加熱面側に噴出してしまうおそれがある。
さらに、縦枠１３の対向面部１３１に戸先框４３が当接し、対向面部１３１は戸先框４３に対して平面であるため、縦枠１３が大きく損傷して隙間が生じ、防火性能がさらに低下するおそれもあった。
【０００７】
本発明の目的は、防火性能を向上でき、かつ、縦枠の損傷も軽減できる建具を提供することにある。
【課題を解決するための手段】
【０００８】
本発明の建具は、建具枠と、前記建具枠にスライド開閉自在に支持される障子とを備える建具であって、前記障子は、戸先框、召合せ框および上下框を備え、前記障子を全閉状態にした際に、前記障子の見込み方向に重なる各召合せ框には、前記障子を全閉状態にした際に、互いに係合する煙返しがそれぞれ形成され、前記建具枠において戸先框に対向する枠材は、前記戸先框に対向する対向面部と、この対向面部から戸先框側に突設された引寄せ片とを備え、前記戸先框は、前記引寄せ片に対向する見込み面部と、前記見込み面部の屋外側から前記対向面部に向かって延長された屋外片部と、前記見込み面部の屋内側から前記対向面部に向かって延長された屋内片部とを備え、前記見込み面部、屋外片部、屋内片部で囲まれる凹溝部には、前記障子を全閉状態にした際に前記引寄せ片に当接するガイド部材が取り付けられ、前記ガイド部材は、前記建具枠、戸先框、召合せ框および上下框よりも融点が低い材質で構成され、前記戸先框の見込み面部と前記枠材の引寄せ片との見付け方向の間隔寸法をＡとし、前記戸先框の見付け方向の先端と前記枠材の対向面部との見付け方向の間隔寸法をＢとし、前記煙返し同士のかかり代の寸法をＣとし、前記ガイド部材が融解する温度に加熱された際の前記上下框の熱伸び量をΔＬとした場合に、Ｂ＞Ａ＞ΔＬ−Ｃ／２であることを特徴とする。
【０００９】
本発明では、前記ガイド部材が、建具枠や障子の框材等の他の部材よりも融点が低い材質で構成されている。たとえば、建具枠や框材がアルミニウム合金やスチールなどの金属材で構成され、ガイド部材はポリアミド系合成繊維などの合成樹脂材で構成されている。
このため、火災が発生して前記ガイド部材の融点や熱分解温度以上になると、ガイド部材は融解する。
すると、ガイド部材が配置されていた部分の寸法Ａだけ上下框の熱伸び量が許容され、前記戸先框の見込み面部が縦枠の引寄せ片に当接する。縦枠の引寄せ片は上下枠間に連続して設けられており、上下枠との間に隙間が生じていないため、戸先框の上下端部から火炎が非加熱面側に噴出することを防止できる。
さらに、寸法Ａ＞ΔＬ−Ｃ／２であるため、前記熱伸び量ΔＬが寸法Ａよりも大きくて召合せ框が戸先框から離れる方向に移動した場合でも、煙返し同士が外れることはなく、かかり代が維持される。このため、召合せ部において隙間が生じることも防止でき、召合せ部において火炎が非加熱面側に噴出することも防止できる。
また、寸法Ａ＜Ｂであるため、戸先框は縦枠の引寄せ片に当接し、対向面部に衝突することがない。
このため、本発明によれば、建具における防火性能を向上でき、かつ、縦枠の損傷も軽減できる。
【００１０】
本発明において、前記ガイド部材は、前記引寄せ片に当接して戸先框を見込み方向の所定位置に案内する傾斜面が形成されていることが好ましい。
本発明によれば、ガイド部材は、障子の引寄せ部材を兼用しているので、防火性能の高い建具を安価に提供できる。
【００１１】
本発明において、前記建具枠と、戸先框、召合せ框、上下框は、金属製部材で構成され、前記ガイド部材は、合成樹脂製の部材で構成されていることが好ましい。
本発明によれば、火災が発生した際に、最初にガイド部材が焼失するため、障子の上下框が熱伸びした際の熱伸び量を、前記ガイド部材が配置されていた寸法Ａの空間で確実に吸収でき、引寄せ片を戸先框に確実に当接させることができる。
【図面の簡単な説明】
【００１２】
【図１】本発明の実施形態に係る引違い窓の横断面図である。
【図２】前記引違い窓の各召合せ框を示す上面図である。
【図３】外障子の戸先框と縦枠を示す上面図である。
【図４】火災時の外障子の戸先框と縦枠を示す上面図である。
【図５】従来例の戸先框と縦枠を示す上面図である。
【図６】従来例の火災時の戸先框と縦枠を示す上面図である。
【発明を実施するための形態】
【００１３】
以下、本発明の実施形態を図面に基づいて説明する。
図１において、本実施形態に係る建具である引違い窓１は、建具枠である窓枠２と、内外の障子３、４とを備えて構成されている。
【００１４】
［窓枠の構成］
窓枠２は、上枠（図示略）、下枠１２および左右の縦枠１３，１４を備えて構成される。上枠および下枠１２は、アルミニウム合金押出形材であり、上レール（図示略）、下レール１６を備えている。
【００１５】
縦枠１３は、アルミニウム合金押出形材であり、見込み方向に沿って設けられた対向面部１３１と、外障子４を閉めた際に当接する引寄せ片１３２を備えている。また、縦枠１３には、合成樹脂製のカバー材１３５が取り付けられている。
【００１６】
縦枠１４は、アルミニウム合金押出形材であり、見込み方向に沿って設けられた対向面部１４１と、内障子３を閉めた際に当接する引寄せ片１４２を備えている。また、縦枠１４には、合成樹脂製のカバー材１４５が取り付けられている。
【００１７】
［障子の構成］
内障子３および外障子４は、前記上レール、下レール１６に沿って窓枠２内を左右方向にスライド移動可能に支持されている。
内障子３は、上框（図示略）、下框（図示略）、戸先框３３、召合せ框（戸尻框）３４を枠組みして構成され、内部に複層ガラス３５を保持している。
外障子４は、上框（図示略）、下框（図示略）、戸先框４３、召合せ框（戸尻框）４４を枠組みして構成され、内部に複層ガラス４５を保持している。
【００１８】
内障子３の戸先框３３は、アルミニウム合金押出形材からなる框本体３３１と、框本体３３１の屋内側に取り付けられた合成樹脂製のカバー材３３２とを備える。
外障子４の戸先框４３は、アルミニウム合金押出形材からなる框本体４３１と、框本体４３１の屋内側に取り付けられた合成樹脂製のカバー材４３２とを備える。
【００１９】
戸先框３３，４３の縦枠１３、１４に対向する側面は、横断面コ字状の凹溝形状とされている。この凹溝部分には、合成樹脂製のガイド部材３３３、４３３が取り付けられている。
ガイド部材３３３、４３３は、横断面で略Ｖ字状の溝が形成されている。各障子３、４を閉めた際に、前記溝を形成する２つの傾斜面に前記引寄せ片１３２、１４２が当接することで、障子３、４は見込み方向の所定位置に移動する。このため、戸先框３３，４３に設けられる気密材３６、４６が、各引寄せ片１３２、１４２の屋外面に確実に密着して気密性能を確保できる。
【００２０】
内障子３の召合せ框３４は、アルミニウム合金押出形材製の框本体３４１と、框本体３４１の屋外面に取り付けられた合成樹脂製のカバー材３４２とを備える。框本体３４１の屋外面には、図２にも示すように、煙返し３４３が一体に形成されている。
外障子４の召合せ框４４は、アルミニウム合金押出形材製の框本体４４１を備える。框本体４４１の屋内面には、煙返し４４３が一体に形成されている。
【００２１】
そして、各障子３、４を閉めた全閉状態において、前記煙返し３４３、４４３の見付け方向のかかり代の寸法をＣとする。この寸法Ｃは防火戸として法令上要求される寸法（たとえば３ｍｍ以上）に設定すればよい。
【００２２】
［縦枠および戸先框］
次に、縦枠１３、１４および戸先框３３、４３の詳細について、図３，４を参照して説明する。以下の説明では、縦枠１３および外障子４の戸先框４３について説明する。なお、縦枠１４や内障子３の戸先框３３も同様の構成であるため、説明を省略する。
縦枠１３は、図３に示すように、見込み方向に沿って配置されて戸先框４３に対向する対向面部１３１と、この対向面部１３１から戸先框４３側に突設された引寄せ片１３２とを備えている。
【００２３】
戸先框４３の框本体４３１は、前記引寄せ片１３２に対向する見込み面部４３５と、前記見込み面部４３５の屋外側から前記対向面部１３１に向かって延長された屋外片部４３６と、前記見込み面部４３５の屋内側から前記対向面部１３１に向かって延長された屋内片部４３７とを備える。
従って、框本体４３１の縦枠１３側の端部には、前記見込み面部４３５、屋外片部４３６、屋内片部４３７で囲まれて、前記縦枠１３側に開口する凹溝部４３８が形成されている。
【００２４】
この凹溝部４３８には、ガイド部材４３３が取り付けられている。ガイド部材４３３は、前述したように、引寄せ片１３２が当接する２つの傾斜面が設けられている。
そして、障子４を閉めて前記引寄せ片１３２にガイド部材４３３が当接している状態（図３の状態）において、引寄せ片１３２の先端と、戸先框４３の見込み面部４３５との間の寸法をＡとする。
【００２５】
また、戸先框４３の見付け方向の先端と、縦枠１３の対向面部１３１との見付け方向の間隔寸法をＢとする。
ここで、本実施形態では、屋外片部４３６が屋内片部４３７よりも縦枠１３側に突出するため、戸先框４３の見付け方向の先端は、屋外片部４３６の先端になる。従って、寸法Ｂは、屋外片部４３６および対向面部１３１間の寸法となる。
【００２６】
本実施形態において、前記寸法Ａ、Ｂ、Ｃの関係は以下のように設定されている。
すなわち、寸法Ａは寸法Ｂ未満（Ａ＜Ｂ）に設定されている。このような設定になるように、ガイド部材４３３、屋外片部４３６、引寄せ片１３２の見付け寸法がそれぞれ設定されている。
また、寸法Ａは、障子４の見付け方向の熱伸び量ΔＬから前記寸法Ｃの半分を引いた値以上（Ａ＞ΔＬ−Ｃ／２）に設定されている。
従って、前記各寸法は、Ｂ＞Ａ＞ΔＬ−Ｃ／２（条件１）に設定されている。
【００２７】
ここで、前記ΔＬは、合成樹脂製のガイド部材３３３、４３３が融解する温度ｔになった場合の、障子の見付け方向の熱伸び量である。樹脂部品の融解温度ｔは、その材質にもより、例えば、約１００〜３００℃である。
また、障子の見付け方向の熱伸び量は、見付け方向に長尺な上框や下框の熱伸び量とほぼ同じである。従って、たとえば、上下框の０℃のときの長さをＬ０、前記温度ｔに達した場合の長さをＬとすれば、熱伸び量ΔＬ＝Ｌ−Ｌ０である。
【００２８】
そして、上下框がアルミニウム合金であり、アルミニウム合金の合金定数をＣとした場合、
ΔＬ＝Ｌ０×Ｃ×（22.29ｔ＋0.01009t2）×10-6である。
なお、合金定数Ｃは、アルミニウム合金の種類によって相違し、例えば、A6063の場合は「0.995」であり、A5154の場合は「1.015」である。
従って、上框がA5154であり、０℃のときの長さＬ０＝１１００ｍｍの部材で構成されている場合に、温度ｔ＝３００℃に加熱された際の熱伸び量ΔＬは、
ΔＬ＝1100×1.015×（22.29×300＋0.01009×3002）×10-6＝8.479ｍｍである。
同じ部材でＬ０＝２００ｍｍの場合、
ΔＬ＝200×1.015×（22.29×300＋0.01009×3002）×10-6＝1.541ｍｍである。
同様に、上框がA6063であり、０℃のときの長さＬ０＝１１００ｍｍの部材と、２００ｍｍの部材における温度ｔ＝３００℃に加熱された際の熱伸び量ΔＬは、それぞれ、
ΔＬ＝1100×0.995×（22.29×300＋0.01009×3002）×10-6＝8.312ｍｍ、
ΔＬ＝200×0.995×（22.29×300＋0.01009×3002）×10-6＝1.511ｍｍである。
【００２９】
すなわち、熱伸び量ΔＬは、温度ｔが同じであれば、主に部材の長さＬ０の影響が大きく、前記アルミニウム合金製の框であれば、Ｌ０が２００〜１１００ｍｍの範囲の場合、ΔＬは約1.4〜8.5ｍｍ程度となる。
そして、前記条件１において、Ｂ＞Ａはそれぞれ固定値であるため、この条件を満たすように建具を設計すれば、常に条件を満たす。一方、ΔＬは、上記の通り、様々な条件で変動するが、ΔＬが最も大きくなる場合に、Ａ＞ΔＬ−Ｃ／２を満たせば、ΔＬが最大値以下の場合も自動的に前記条件を満たす。従って、障子３、４の上下框がアルミニウム合金製であれば、ΔＬ＝８．５ｍｍの場合に、前記条件１を満たすように、各寸法Ａ，Ｂ，Ｃを設定すればよい。
例えば、前記寸法Ａ＝４ｍｍ、Ｂ＝５ｍｍ、Ｃ＝10ｍｍに設定すれば、ΔＬ＝8.5ｍｍの場合に、前記条件１：Ｂ＞Ａ＞ΔＬ−Ｃ／２は、５＞４＞3.5(=8.5-10/2)となり、条件１を満足する。
【００３０】
また、上框がA6063であり、０℃のときの長さＬ０＝５００ｍｍの部材における温度ｔ＝３００℃に加熱された際の熱伸び量ΔＬは、ΔＬ＝500×0.995×（22.29×300＋0.01009×3002）×10-6＝約3.8ｍｍである。この場合、前記寸法Ａ＝４ｍｍ、Ｂ＝５ｍｍ、Ｃ＝10ｍｍに設定しても、前記条件１：Ｂ＞Ａ＞ΔＬ−Ｃ／２は、５＞４＞-1.2(=3.8-10/2)となり、条件１を満足する。
すなわち、アルミニウム合金製の框を用いている場合、ΔＬ＝８．５ｍｍとして条件１を満足するように各寸法Ａ，Ｂ，Ｃを設定すれば、一般的な上下框部材長さ寸法２００〜１１００ｍｍの障子において、常に条件１を満足するようにできる。一方、ΔＬ＝８．５ｍｍでは、条件１を満足できない各寸法Ａ，Ｂ，Ｃを設定しなければならない場合でも、主に障子の幅寸法が小さいものであれば、上記条件１を満足するように設定できる。
従って、様々な幅寸法の障子に共通して前記寸法Ａ，Ｂ，Ｃを設定する場合には、ΔＬ＝８．５ｍｍの場合に前記条件１を満足するように設計すればよいし、障子の幅寸法が決まっている場合には、その際のΔＬを求めた上で前記寸法Ａ，Ｂ，Ｃを設定すればよい。
【００３１】
なお、説明を省略するが、内障子３の戸先框３３および縦枠１４においても同じ条件に設定されている。
【００３２】
［火災時の作用］
このような引違い窓１が、火災時や防火試験で加熱されると、合成樹脂製の部材であるカバー材１３５、１４５、３３２、３４２、４３２や、ガイド部材３３３、４３３は、融点や熱分解温度以上となって溶融や焼失する。すなわち、前記カバー材やガイド部材で用いられる合成樹脂材の融点は、樹脂の種類にもよるが１００〜３００℃程度であり、ガイド部材３３３、４３３は、３００℃以上に加熱されると融解する。
また、各障子３、４の上下框が加熱によって熱伸びする。この際、図４に示すように、ガイド部材３３３、４３３が焼失しているため、少なくとも前記寸法Ａの分は、上下框が熱伸びして戸先框３３，４３が縦枠１３、１４側に移動することで吸収できる。たとえば、前述したように寸法Ａ＝４ｍｍ、ΔＬ＝8.5ｍｍの場合、熱伸び量ΔＬのうち４ｍｍ分は、前記ガイド部材３３３、４３３が焼失した寸法Ａ分だけ戸先框３３，４３が移動することで吸収できる。
【００３３】
そして、戸先框３３，４３の見込み面部４３５が引寄せ片１３２、１４２に当接した後は、それ以上、戸先框３３，４３側が移動することができないため、召合せ框３４，４４側が戸先框３３，４３から離れる方向に移動する。この移動量は、ΔＬ−Ａ＝4.5ｍｍである。
従って、各召合せ框３４，４４は、それぞれ互いに離れる方向に、約４．５ｍｍずつ移動する。この際、前記煙返し３４３、４４３のかかり代の寸法Ｃは１０ｍｍであったため、熱伸びによって各召合せ框３４，４４が約４．５ｍｍずつ移動しても、約１ｍｍ分のかかり代が残ることになる。
【００３４】
また、前記寸法Ａが寸法Ｂより小さいため、図４に示すように、戸先框３３，４３の見込み面部４３５が引寄せ片１３２、１４２に当接した場合でも、屋外片部４３６や屋内片部４３７が対向面部１３１に当接することはない。
【００３５】
なお、ガイド部材３３３、４３３の取付位置や数は、戸先框３３，４３の高さ寸法などに応じて設定すればよい。たとえば、腰窓の場合には通常１個のガイド部材３３３、４３３を配置すればよい。また、テラス窓の場合には高さ寸法に応じて２〜４個のガイド部材３３３、４３３を配置すればよい。
【００３６】
［実施形態の作用効果］
（１）戸先框３３，４３、縦枠１３、１４、召合せ框３４，４４において、前記寸法Ａ、Ｂ、Ｃを、Ｂ＞Ａ＞ΔＬ−Ｃ／２の条件１を満足するように設定したので、火災時に各障子３、４が見付け方向に熱伸びした場合に、煙返し３４３、４４３のかかり代を維持したまま、熱伸びを吸収することができる。このため、召合せ部において隙間が生じて火炎が非加熱面側に噴出することを防止できる。
また、戸先框３３，４３の見込み面部４３５を引寄せ片１３２に当接させたので、戸先框３３，４３の上下端部の隙間から火炎が非加熱面側に噴出することを防止できる。
すなわち、従来のように、戸先框３３，４３の屋外片部４３６を、縦枠１３、１４の対向面部１３１に当接させた場合、戸先框３３，４３と上下枠との間の隙間から火炎が噴出してしまう。
これに対し、引寄せ片１３２は、上下枠に当接する位置まで連続していて隙間が生じていないため、引寄せ片１３２に見込み面部４３５を当接させることで、戸先框３３，４３の上下端部から火炎が非加熱面側に噴出することを防止できる。
従って、引違い窓１の防火性能を向上でき、住宅防火戸として必要な性能を確保できる。
【００３７】
（２）寸法Ａを寸法Ｂ未満に設定したので、戸先框３３，４３の屋外片部４３６が、縦枠１３、１４に衝突することを防止できる。このため、縦枠１３、１４の損傷も軽減できる。
【００３８】
（３）前記寸法Ａ、Ｂ、Ｃを設定することで防火性能を確保でき、また、寸法Ａを設定するためのガイド部材３３３、４３３は、障子の引き寄せ部材を兼用しているので、防火性能の高い引違い窓１を安価に提供できる。
また、戸先框３３，４３は、従来の戸先框に比べて見込み面部４３５の形成位置を変更するだけでよく、戸先框３３，４３全体の見付け寸法を変更する必要がないため、框の見付け寸法を小さくできて意匠性を向上でき、かつ、防火性能の高い引違い窓１を提供できる。
【００３９】
［変形例］
なお、本発明は、前記実施形態に限定されるものではなく、本発明の目的を達成できる他の構成等を含み、以下に示すような変形等も本発明に含まれる。
たとえば、前記実施形態では、ガイド部材３３３、４３３に戸先框３３，４３の引き寄せ機構を設けていたが、このような引き寄せ機構を、例えば縦枠１３、１４側に設け、前記ガイド部材は寸法Ａを設定するためだけに設けてもよい。
【００４０】
また、窓枠２や障子３、４の框材としては、合成樹脂製のカバー材を備えないものでもよい。さらに、窓枠２や障子３、４の框材の材質は、アルミニウム合金製に限らず、ステンレス製やスチール製などの他の金属材でもよい。この場合、線膨張係数が異なるため、熱伸び量も変化する。従って、前記各寸法Ａ、Ｂ、Ｃは、上下框の材質（線膨張係数）や、見付け方向の幅寸法などに応じて設定すればよい。
【００４１】
本発明の建具は、玄関ドアや勝手口ドアなどの、戸体（障子）がスライド移動する引戸でもよい。
【符号の説明】
【００４２】
１…建具である引違い窓、２…枠体である窓枠、３…内障子、４…外障子、１３、１４…縦枠、３３，４３…戸先框、３４、４４…召合せ框、１３１、１４１…対向面部、１３２、１４２…引寄せ片、３４３、４４３…煙返し、４３５…見込み面部、４３６…屋外片部、４３７…屋内片部、４３８…凹溝部。
【図１】
2013189757.tif 000003
【図２】
2013189757.tif 000004
【図３】
2013189757.tif 000005
【図４】
2013189757.tif 000006
【図５】
2013189757.tif 000007
【図６】
2013189757.tif 000008